【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
超音波エコーを検出するように動作可能な超音波プローブと、
前記超音波エコーに基づいて超音波画像を表示するように動作可能なディスプレイユニットと、
前記超音波プローブと前記ディスプレイユニットとに通信可能に結合されたプロセッサとを備える、超音波イメージングシステムであって、
前記プロセッサは、
第１のダイナミックレンジをもつソース画像データを受信することであって、前記ソース画像データが、前記超音波プローブにより検出された前記超音波エコーに基づくログ圧縮エコー強度値を含む、受信することと、
前記ソース画像データの少なくとも一部のヒストグラムを生成することと、
前記ヒストグラムに対する累積密度関数を生成することと、
前記累積密度関数のｙ軸における第１の点及び第２の点にそれぞれ対応する、黒色ピクセルの所望パーセント、及び、ミッドグレー以下のピクセル値をもつピクセルの所望パーセントの標示を受信することと、
前記少なくとも２つの点に基づいて前記第１のダイナミックレンジより小さい第２のダイナミックレンジを規定することであって、前記第２のダイナミックレンジの最大値及び最小値は、それぞれ前記第１の点及び前記第２の点に基づいて決定される、規定することと、
前記ディスプレイユニットに前記第２のダイナミックレンジに従って表示された前記ソース画像データを表す超音波画像を表示させることと、
を行う、超音波イメージングシステム。
【請求項２】
前記プロセッサが、前記累積密度関数における前記第１の点及び前記第２の点の標示を受信することと、前記第１のダイナミックレンジの一部を前記第２のダイナミックレンジにマッピングするための前記第１の点及び前記第２の点に基づく線形マッピング関数を規定することとを行う、請求項１に記載の超音波イメージングシステム。
【請求項３】
前記プロセッサが、前記線形マッピング関数を使用して、表示のために１６ビットソース画像データを８ビット画像データにマッピングする、請求項２に記載の超音波イメージングシステム。
【請求項４】
前記プロセッサが、黒色ピクセルの所望パーセントに対応した、前記累積密度関数における前記第１の点の標示を受信することと、ミッドグレー以下のピクセル値をもつピクセルの所望パーセントに対応した、前記累積密度関数における前記第２の点の標示を受信することとを行う、請求項１に記載の超音波イメージングシステム。
【請求項５】
前記プロセッサが、前記第１の点に対応した前記累積密度関数のｘ軸におけるデータ値に対応したピクセル値に、前記第２のダイナミックレンジの最小値を設定することにより、前記第２のダイナミックレンジを規定し、前記プロセッサが、前記第２の点に対応した前記累積密度関数のｘ軸におけるデータ値を特定することと、前記第２の点に対応した前記ｘ軸におけるデータ値の２倍に対応したピクセル値に、前記第２のダイナミックレンジの最大値を設定することにより、前記第２のダイナミックレンジをさらに規定することとを行う、請求項４に記載の超音波イメージングシステム。
【請求項６】
前記黒色ピクセルの所望パーセントと、前記ミッドグレー以下のピクセル値をもつピクセルの所望パーセントとを記憶するメモリをさらに備える、請求項４に記載の超音波イメージングシステム。
【請求項７】
前記プロセッサが、前記メモリに記憶された前記黒色ピクセルの所望パーセントと前記ミッドグレー以下のピクセル値をもつピクセルの所望パーセントとに基づいて、複数の時間的に連続した超音波画像の各々に対して前記第２のダイナミックレンジを自動的に規定する、請求項６に記載の超音波イメージングシステム。
【請求項８】
前記メモリが、前記黒色ピクセルの所望パーセント、及び前記ミッドグレー以下のピクセル値をもつピクセルの所望パーセントに対する値の複数のペアを記憶し、各ペアが、特定の臨床用途、若しくは、前記特定の臨床用途に関連した標準的なビューに関連しており、並びに／又は、
前記超音波イメージングシステムは、前記黒色ピクセルの所望パーセント、及び、前記ミッドグレー以下のピクセル値をもつピクセルの所望パーセントを調節する１つ若しくは複数のユーザー制御部をさらに備える、
請求項６に記載の超音波イメージングシステム。
【請求項９】
前記プロセッサが、
前記ソース画像データの少なくとも一部を複数の深さバンドに分割することと、
各深さバンドに対する、ヒストグラム及び対応する累積密度関数を生成することと、
各深さバンドに関連した深さに依存した第２のダイナミックレンジを規定することと、
をさらに行う、請求項１に記載の超音波イメージングシステム。
【請求項１０】
前記プロセッサが、累積密度関数を使用して、複数の深さに依存した第２のダイナミックレンジを規定することと、前記複数の深さに依存した第２のダイナミックレンジの各々に関連した最小値間、及び、前記複数の深さに依存した第２のダイナミックレンジの各々に関連した最大値間を補間して、追加的な深さに依存した第２のダイナミックレンジを導出することとを行う、請求項９に記載の超音波イメージングシステム。
【請求項１１】
前記プロセッサがさらに、前記ログ圧縮エコー強度値に時間利得補償を適用して前記ソース画像データを生成する、請求項１に記載の超音波イメージングシステム。
【請求項１２】
前記プロセッサがさらに、前記ヒストグラムを生成する前に、前記ソース画像データを空間的に、時間的に、又は時空間的にフィルタ処理する、請求項１に記載の超音波イメージングシステム。
【請求項１３】
表示のために超音波イメージングシステムを設定する方法であって、前記方法が、
第１のダイナミックレンジをもつソース画像データを受信するステップであって、前記ソース画像データが、超音波プローブにより受信されたエコー信号に基づくログ圧縮エコー強度値を含む、受信するステップと、
前記ソース画像データの少なくとも一部のヒストグラムを生成するステップと、
前記ヒストグラムに対する累積密度関数を生成するステップと、
前記累積密度関数のｙ軸における第１の点及び第２の点にそれぞれ対応する、黒色ピクセルの所望パーセント、及び、ミッドグレー以下のピクセル値をもつピクセルの所望パーセントの標示を受信するステップと、
前記少なくとも２つの点に基づいて前記第１のダイナミックレンジより小さい第２のダイナミックレンジを規定するステップであって、前記第２のダイナミックレンジの最大値及び最小値は、それぞれ前記第１の点及び前記第２の点に基づいて決定される、規定するステップと、
表示のために前記ソース画像データを表す超音波画像を生成するステップであって、前記超音波画像が、前記第２のダイナミックレンジに従って前記ソース画像データを表示する、生成するステップと、
を有する、方法。
【請求項１４】
前記ソース画像データを複数の深さバンドに分割するステップと、
前記複数の深さバンドのうちの各深さバンドに関連した前記ソース画像データのヒストグラム及び累積密度関数を生成するステップと、
前記複数の深さバンドのうちの各深さバンドに対する、深さに依存した低減されたダイナミックレンジを規定するステップと、
をさらに有する、請求項１３に記載の方法。
【請求項１５】
医療イメージングシステムの１つ又は複数のプロセッサにより実行されたときに、前記１つ又は複数のプロセッサに、請求項１３に記載の方法を実施させるプロセッサ実行可能命令を含む、非一時的なコンピュータ可読媒体。